【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
証券保管振替機構の決済照合システムにおいてやり取りされる電文データを、監査に対応するよう保管し検索するシステムであって、
前記証券保管振替機構の決済照合システムにおいてやり取りされる、電文コードを含む電文データを、通信装置を介して取得し、電文データごとに、電文データベースに格納する、電文データベース作成機能部と、
前記電文データベースに格納された前記電文データに含まれる電文コードのうち、監査実行時に検索キーとして使用される電文コードであるインデクス電文コードを抽出した電文インデクスデータを、電文データごとに、インデクスデータベースに格納する、インデクスデータベース作成機能部と、
前記インデクスデータベースに格納された前記電文インデクスデータを、検索結果の出力単位である帳票単位ごとの帳票データとして、帳票保管データベースに格納する、帳票データ保管部と、
前記インデクスデータベースに格納された前記電文インデクスデータに含まれるインデクス電文コードのうち、対応する日本語名を有するインデクス電文コードについて、その対応する日本語名を関連付けた、コード変換データベースと、
前記インデクスデータベースに格納された前記電文インデクスデータに含まれるインデクス電文コードのうち、対応する日本語名を有するインデクス電文コードについては、その対応する日本語名を前記コード変換データベースから取得し、前記インデクスデータベースにおいて、該当インデクス電文コードに日本語名を対応付ける、日本語名付加部と、
インデクス電文コードまたは日本語名のうち、いずれを検索キー種類として選択するかを指定する入力を、入力インターフェースや通信装置を介して受け付け、メモリに格納する、検索キー種類入力受付部と、
前記選択された検索キー種類の検索キーのうち、監査対象となる、一つないし複数の検索キーの入力を、入力インターフェースや通信装置を介して受け付け、メモリに格納する、検索キー入力受付部と、
前記検索キー種類入力受付部において受け付けられメモリに格納された検索キー種類をメモリから読み出し、インデクス電文コードを検索キーとした検索方法および日本語名を検索キーとした検索方法のうち、いずれの検索方法を実行するかを判定したうえで、前記検索キー入力受付部において受け付けられメモリに格納された検索キーを前記メモリから読み出し、当該読み出された検索キーが含まれる電文インデクスデータを前記インデクスデータベースに格納された電文インデクスデータの中から探し出す検索実行処理の結果を、前記帳票単位ごとに、出力インターフェースや通信装置に出力する、検索結果出力部と、
を備えることを特徴とする、電文データの監査用保管・検索システム。
【請求項２】
前記結果出力部による検索結果の出力は、前記探し出され、帳票単位ごとに出力された、前記検索キーが含まれる電文インデクスデータについて、当該電文インデクスデータに含まれる電文コードを、前記電文データベースより抽出し、前記探し出された検索キーに該当する箇所にハイライト表示を施したうえで、前記帳票単位ごとに、表示する処理を含むことを特徴とする、
請求項１に記載の、電文データの監査用保管・検索システム。
【請求項３】
証券保管振替機構の決済照合システムにおいてやり取りされる電文データの監査用保管・検索を行うコンピュータが、
前記証券保管振替機構の決済照合システムにおいてやり取りされる、電文コードを含む電文データを、通信装置を介して取得し、電文データごとに、電文データベースに格納する処理と、
前記電文データベースに格納された前記電文データに含まれる電文コードのうち、監査実行時に検索キーとして使用される電文コードであるインデクス電文コードを抽出した電文インデクスデータを、電文データごとに、インデクスデータベースに格納する処理と、
前記インデクスデータベースに格納された前記電文インデクスデータを、検索結果の出力単位である帳票単位ごとの帳票データとして、帳票保管データベースに格納する処理と、
前記インデクスデータベースに格納された前記電文インデクスデータに含まれるインデクス電文コードのうち、対応する日本語名を有するインデクス電文コードについては、その対応する日本語名を、前記インデクスデータベースに格納された前記電文インデクスデータに含まれるインデクス電文コードのうち対応する日本語名を有するインデクス電文コードについてその対応する日本語名を関連付けたコード変換データベースから取得し、前記インデクスデータベースにおいて、該当インデクス電文コードに日本語名を対応付ける処理と、
インデクス電文コードまたは日本語名のうち、いずれを検索キー種類として選択するかを指定する入力を、入力インターフェースや通信装置を介して受け付け、メモリに格納する処理と、
前記選択された検索キー種類の検索キーのうち、監査対象となる、一つないし複数の検索キーの入力を、入力インターフェースや通信装置を介して受け付け、メモリに格納する処理と、
前記検索キー種類入力受付部において受け付けられメモリに格納された検索キー種類をメモリから読み出し、インデクス電文コードを検索キーとした検索方法および日本語名を検索キーとした検索方法のうち、いずれの検索方法を実行するかを判定したうえで、前記検索キー入力受付部において受け付けられメモリに格納された検索キーを前記メモリから読み出し、当該読み出された検索キーが含まれる電文インデクスデータを前記インデクスデータベースに格納された電文インデクスデータの中から探し出す検索実行処理の結果を、前記帳票単位ごとに、出力インターフェースや通信装置に出力する処理と、
を実行することを特徴とする、電文データの監査用保管・検索方法。
【請求項４】
証券保管振替機構の決済照合システムにおいてやり取りされる電文データの監査用保管・検索を行うコンピュータに、
前記証券保管振替機構の決済照合システムにおいてやり取りされる、電文コードを含む電文データを、通信装置を介して取得し、電文データごとに、電文データベースに格納するステップと、
前記電文データベースに格納された前記電文データに含まれる電文コードのうち、監査実行時に検索キーとして使用される電文コードであるインデクス電文コードを抽出した電文インデクスデータを、電文データごとに、インデクスデータベースに格納するステップと、
前記インデクスデータベースに格納された前記電文インデクスデータを、検索結果の出力単位である帳票単位ごとの帳票データとして、帳票保管データベースに格納するステップと、
前記インデクスデータベースに格納された前記電文インデクスデータに含まれるインデクス電文コードのうち、対応する日本語名を有するインデクス電文コードについては、その対応する日本語名を、前記インデクスデータベースに格納された前記電文インデクスデータに含まれるインデクス電文コードのうち対応する日本語名を有するインデクス電文コードについてその対応する日本語名を関連付けたコード変換データベースから取得し、前記インデクスデータベースにおいて、該当インデクス電文コードに日本語名を対応付けるステップと、
インデクス電文コードまたは日本語名のうち、いずれを検索キー種類として選択するかを指定する入力を、入力インターフェースや通信装置を介して受け付け、メモリに格納するステップと、
前記選択された検索キー種類の検索キーのうち、監査対象となる、一つないし複数の検索キーの入力を、入力インターフェースや通信装置を介して受け付け、メモリに格納するステップと、
前記検索キー種類入力受付部において受け付けられメモリに格納された検索キー種類をメモリから読み出し、インデクス電文コードを検索キーとした検索方法および日本語名を検索キーとした検索方法のうち、いずれの検索方法を実行するかを判定したうえで、前記検索キー入力受付部において受け付けられメモリに格納された検索キーを前記メモリから読み出し、当該読み出された検索キーが含まれる電文インデクスデータを前記インデクスデータベースに格納された電文インデクスデータの中から探し出す検索実行処理の結果を、前記帳票単位ごとに、出力インターフェースや通信装置に出力するステップと、
を実行させる、電文データの監査用保管・検索プログラム。
【手続補正２】
【補正対象書類名】明細書
【補正対象項目名】０００６
【補正方法】変更
【補正の内容】
【０００６】
上記課題を解決する本発明の電文データの監査用保管・検索システムは、証券保管振替機構の決済照合システムにおいてやり取りされる電文データを、監査に対応するよう保管し検索するシステムであって、前記証券保管振替機構の決済照合システムにおいてやり取りされる、電文コードを含む電文データを、通信装置を介して取得し、電文データごとに、電文データベースに格納する、電文データベース作成機能部と、前記電文データベースに格納された前記電文データに含まれる電文コードのうち、監査実行時に検索キーとして使用される電文コードであるインデクス電文コードを抽出した電文インデクスデータを、電文データごとに、インデクスデータベースに格納する、インデクスデータベース作成機能部と、前記インデクスデータベースに格納された前記電文インデクスデータを、検索結果の出力単位である帳票単位ごとの帳票データとして、帳票保管データベースに格納する、帳票データ保管部と、前記インデクスデータベースに格納された前記電文インデクスデータに含まれるインデクス電文コードのうち、対応する日本語名を有するインデクス電文コードについて、その対応する日本語名を関連付けた、コード変換データベースと、前記インデクスデータベースに格納された前記電文インデクスデータに含まれるインデクス電文コードのうち、対応する日本語名を有するインデクス電文コードについては、その対応する日本語名を前記コード変換データベースから取得し、前記インデクスデータベースにおいて、該当インデクス電文コードに日本語名を対応付ける、日本語名付加部と、インデクス電文コードまたは日本語名のうち、いずれを検索キー種類として選択するかを指定する入力を、入力インターフェースや通信装置を介して受け付け、メモリに格納する、検索キー種類入力受付部と、前記選択された検索キー種類の検索キーのうち、監査対象となる、一つないし複数の検索キーの入力を、入力インターフェースや通信装置を介して受け付け、メモリに格納する、検索キー入力受付部と、前記検索キー種類入力受付部において受け付けられメモリに格納された検索キー種類をメモリから読み出し、インデクス電文コードを検索キーとした検索方法および日本語名を検索キーとした検索方法のうち、いずれの検索方法を実行するかを判定したうえで、前記検索キー入力受付部において受け付けられメモリに格納された検索キーを前記メモリから読み出し、当該読み出された検索キーが含まれる電文インデクスデータを前記インデクスデータベースに格納された電文インデクスデータの中から探し出す検索実行処理の結果を、前記帳票単位ごとに、出力インターフェースや通信装置に出力する、検索結果出力部と、を備えることを特徴とする。
【手続補正３】
【補正対象書類名】明細書
【補正対象項目名】０００８
【補正方法】変更
【補正の内容】
【０００８】
また、本発明の電文データの監査用保管・検索方法は、証券保管振替機構の決済照合システムにおいてやり取りされる電文データの監査用保管・検索を行うコンピュータが、前記証券保管振替機構の決済照合システムにおいてやり取りされる、電文コードを含む電文データを、通信装置を介して取得し、電文データごとに、電文データベースに格納する処理と、前記電文データベースに格納された前記電文データに含まれる電文コードのうち、監査実行時に検索キーとして使用される電文コードであるインデクス電文コードを抽出した電文インデクスデータを、電文データごとに、インデクスデータベースに格納する処理と、前記インデクスデータベースに格納された前記電文インデクスデータを、検索結果の出力単位である帳票単位ごとの帳票データとして、帳票保管データベースに格納する処理と、前記インデクスデータベースに格納された前記電文インデクスデータに含まれるインデクス電文コードのうち、対応する日本語名を有するインデクス電文コードについては、その対応する日本語名を、前記インデクスデータベースに格納された前記電文インデクスデータに含まれるインデクス電文コードのうち対応する日本語名を有するインデクス電文コードについてその対応する日本語名を関連付けたコード変換データベースから取得し、前記インデクスデータベースにおいて、該当インデクス電文コードに日本語名を対応付ける処理と、インデクス電文コードまたは日本語名のうち、いずれを検索キー種類として選択するかを指定する入力を、入力インターフェースや通信装置を介して受け付け、メモリに格納する処理と、前記選択された検索キー種類の検索キーのうち、監査対象となる、一つないし複数の検索キーの入力を、入力インターフェースや通信装置を介して受け付け、メモリに格納する処理と、前記検索キー種類入力受付部において受け付けられメモリに格納された検索キー種類をメモリから読み出し、インデクス電文コードを検索キーとした検索方法および日本語名を検索キーとした検索方法のうち、いずれの検索方法を実行するかを判定したうえで、前記検索キー入力受付部において受け付けられメモリに格納された検索キーを前記メモリから読み出し、当該読み出された検索キーが含まれる電文インデクスデータを前記インデクスデータベースに格納された電文インデクスデータの中から探し出す検索実行処理の結果を、前記帳票単位ごとに、出力インターフェースや通信装置に出力する処理と、を実行することを特徴とする。
【手続補正４】
【補正対象書類名】明細書
【補正対象項目名】０００９
【補正方法】変更
【補正の内容】
【０００９】
また、本発明の電文データの監査用保管・検索プログラムは、証券保管振替機構の決済照合システムにおいてやり取りされる電文データの監査用保管・検索を行うコンピュータに、前記証券保管振替機構の決済照合システムにおいてやり取りされる、電文コードを含む電文データを、通信装置を介して取得し、電文データごとに、電文データベースに格納するステップと、前記電文データベースに格納された前記電文データに含まれる電文コードのうち、監査実行時に検索キーとして使用される電文コードであるインデクス電文コードを抽出した電文インデクスデータを、電文データごとに、インデクスデータベースに格納するステップと、前記インデクスデータベースに格納された前記電文インデクスデータを、検索結果の出力単位である帳票単位ごとの帳票データとして、帳票保管データベースに格納するステップと、前記インデクスデータベースに格納された前記電文インデクスデータに含まれるインデクス電文コードのうち、対応する日本語名を有するインデクス電文コードについては、その対応する日本語名を、前記インデクスデータベースに格納された前記電文インデクスデータに含まれるインデクス電文コードのうち対応する日本語名を有するインデクス電文コードについてその対応する日本語名を関連付けたコード変換データベースから取得し、前記インデクスデータベースにおいて、該当インデクス電文コードに日本語名を対応付けるステップと、インデクス電文コードまたは日本語名のうち、いずれを検索キー種類として選択するかを指定する入力を、入力インターフェースや通信装置を介して受け付け、メモリに格納するステップと、前記選択された検索キー種類の検索キーのうち、監査対象となる、一つないし複数の検索キーの入力を、入力インターフェースや通信装置を介して受け付け、メモリに格納するステップと、前記検索キー種類入力受付部において受け付けられメモリに格納された検索キー種類をメモリから読み出し、インデクス電文コードを検索キーとした検索方法および日本語名を検索キーとした検索方法のうち、いずれの検索方法を実行するかを判定したうえで、前記検索キー入力受付部において受け付けられメモリに格納された検索キーを前記メモリから読み出し、当該読み出された検索キーが含まれる電文インデクスデータを前記インデクスデータベースに格納された電文インデクスデータの中から探し出す検索実行処理の結果を、前記帳票単位ごとに、出力インターフェースや通信装置に出力するステップと、を実行させることを特徴とする。